(57)【要約】紙面に印刷された候補者情報を有効利用した情報処理装置による投票方式を提供する。選挙の投票権を有することを示す投票権情報を持つ投票カードを利用し、投票の記録原本となる記憶媒体に投票結果を記録する投票装置において、投票カードが投票カード用リーダ／ライタに挿入された状態で、候補者情報と候補者を特定するための候補者特定画像及び投票内容を確認処理するための確認画像とが印刷された投票用紙から、入力装置のペン先部で指定された候補者特定画像を画像読み取り部で読み取った後、データ表示部に画像読み取り部で読み取られた候補者特定画像に対応する候補者情報を表示し、入力装置が投票用紙から確認画像を読み取った後に、データ表示部に表示された候補者を有効投票者として記録する。
2003073383.tif 000002
【特許請求の範囲】
【請求項１】
選挙の投票権を有することを示す投票権情報を持つ投票カードを利用し、投票の記録原本となる記憶媒体に投票結果を記録する投票装置において、
該投票装置は、ペン先部と、画像読み取り部とを備える入力装置と、該入力装置と接続され、データ表示部と、投票カードリーダライタとを有する投票処理装置とからなり、
前記投票カードが投票カード用リーダ／ライタに挿入された状態で、候補者情報と候補者を特定するための候補者特定画像及び投票内容を確認処理するための確認画像とが印刷された投票用紙から、前記入力装置のペン先部で指定された候補者特定画像を前記画像読み取り部で読み取った後、前記データ表示部に前記画像読み取り部で読み取られた候補者特定画像に対応する候補者情報を表示し、前記入力装置が前記投票用紙から前記確認画像を読み取った後に、前記データ表示部に表示された候補者を有効投票者として記録することを特徴とする投票装置。
【請求項２】
選挙の投票権を有することを示す投票権情報を持つ投票カードを利用し、投票の記録原本となる記憶媒体に投票結果を記録する投票装置において、
該投票装置は、ペン先部と、画像読み取り部と、動作スイッチを備える入力装置と、該入力装置と接続され、データ表示部と、投票カードリーダライタとを有する投票処理装置とからなり、前記投票カードが投票カード用リーダ／ライタに挿入された状態で、前記操作機器の動作スイッチが押されたとき、候補者情報と候補者を特定するための候補者特定画像及び投票内容を確認処理するための確認画像とが印刷された投票用紙から、前記候補者特定画像を読み取り、前記データ表示部に前記画像読み取り部で読み取られた候補者特定画像に対応する候補者情報を表示し、前記入力装置が前記投票用紙から前記確認画像を読み取った後に、前記データ表示部に表示された候補者を有効投票者として記録することを特徴とする投票装置。
【請求項３】
請求項１または２記載の投票装置であって、
前記投票用紙に印刷される候補者特定画像には、選挙の種別、候補者属性からなるデータに基づいて、第１の関数によって求められるコードを特定するための情報を含み、投票装置で該情報を取得したとき、前記第１の関数とは逆関数の関係にある第２の関数によって前記コードから、選挙の種別、候補者属性を求め、投票の記録原本となる媒体に格納することを特徴とする投票装置。
【請求項４】
候補者情報を印刷した候補者選択用紙と、候補者選択用紙から取得した情報に基づいて投票内容を抽出する情報処理部と、投票内容を確認するための投票確認表示部と、投票内容を記録原本に記録する投票記録部と、投票者が操作する操作機器を具備する投票装置において、
上記操作機器は、レンズと、該レンズを介して取りこまれた光を撮像する撮像素子と、撮像素子によって得られた画像情報を所定の規格の映像信号に変換する映像信号処理部と、該映像信号処理部を駆動するスイッチと、上記投票内容を抽出する情報処理部に該映像信号を送信するインタフェースと、信号送信するケーブルと、該レンズと上記候補者選択用紙との間で必要な光学的条件を確保する光学的補償機構と、投票者が保持する筐体とからなるものであって、
上記光学的補償機構は、候補者選択用紙に面的に接する接面を有し、該接面に囲まれた領域は候補者選択用紙に印刷されている候補者情報の読取領域よりも大きく、レンズと候補者選択用紙との間で焦点合わせに必要な撮影距離を垂直方向にもち、外部の光を透過する素材で覆われていることを特徴とする投票装置。
【請求項５】
請求項４記載の投票装置であって、
光学的補償機構と筐体とが弾性機構により連結し、光学的補償機構側には導電ゴムが固定され、筐体側には接触回路が固定され、該導電ゴムと接触回路との間には一定のすきまを有し、光学的補償機構の接面側に一定以上の圧力がかかったとき、筐体の押し込みにより、該導電ゴムと接触回路が接触することによってスイッチが作動することを特徴とする投票装置。
【請求項６】
請求項４記載の投票装置であって、
光学的補償機構の接面に、紙とのすべり摩擦係数が大きい素材でできた部品を備え付けていることを特徴とする投票装置。
【請求項７】
請求項４記載の投票装置であって、
光学的補償機構の接面に、静電防止効果のある素材でできた部品を備え付けていることを特徴とする投票装置。
【請求項８】
請求項４記載の投票装置であって、
上記候補者情報は、候補者選択用紙の背景色を表すデータをパラメータに加えて、コード化された画像であることを特徴とする投票装置。
【発明の詳細な説明】
技術分野
本発明は、選挙や住民投票において使用される投票用紙および投票装置に関するものである。
背景技術
現行の選挙投票では投票行為においてのＯＡ化が進んでおらず、開票作業および集計作業を人手で行うため、集計完了までに多くの時間と費用を費やし効率が悪いという問題があった。また投票用紙に自書する現行の投票方式では、投票者はある候補者や政党に投票したつもりであるにもかかわらず、記入ミスにより無効票となる場合がある。また現行の選挙投票に用いられる投票用紙は紙に印刷が施されただけのものであるため、投票用紙そのものを偽造することや、持ち帰って他の投票者に譲渡するなどの不正をはたらくことが可能であった。
こうした問題に対応するため、例えば特開平８−１６８６２号公報（以下、従来技術１）がある。従来技術１によれば、受付窓口で選挙人名簿との対照を終えた選挙人は、トークンカード（半導体メモリチップを内蔵したメモリカードや磁気カード）を受け取り、それを投票装置に挿入して投票装置をアクティブ（投票可能状態）にし、投票装置のタッチパネル画面上に表示された被選挙人リストの中から投票したい被選挙人を選択することによって投票を行う。上記入力された投票内容は所定の記憶装置内に電子的に記録されるようになっている。
従来技術１のように、記憶装置に投票データを電子的に記録していくことによって、投票の集計が迅速になり、開票から集計終了までの時間が大幅に短縮される。また投票用紙を用いないため、記入ミスによる無効票の発生や投票用紙の偽造，持ち帰りの問題も解消される。
発明の開示
上記従来技術１に示される投票装置の物理的な表示面のサイズは、例えば１５インチなどの大きさとなる。このとき、被選挙人の数がごく少数の選挙であれば、画面上に表示される被選挙人の名前は人間の視力から見て十分な大きさで表示することができる。しかし、選挙によっては被選挙人の数が５０名を越える場合もあり、一画面上に十分な大きさで被選挙人の全てを表示できなくなる。
この課題に対応するためには、例えば、被選挙人の数を十分に表示できるだけの大画面をもつ投票装置を用いることが考えられるが、投票所への搬送がかさばるだけでなく、投票装置そのものが高価になる。従来技術１のような電子投票による選挙方法では、一自治体あたりの投票所数Ｍ、一投票所あたりの投票装置数Ｎとすると、Ｍ＊Ｎの投票装置が必要になり、投票装置導入にかかるコストが選挙経費全体に最も影響を与える。
従って、通常の投票装置としては、１５インチ程度のできるだけ標準的なサイズのものが好まれる。このような画面サイズで多数の被選挙人を表示するためには、文字サイズを小さくする必要があるが、これは選挙人にとって見づらく、しかも、誤操作の要因となる。
逆に文字サイズを一定以上確保するためには、画面スクロール機能、虫眼鏡表示機能、画面切替などに頼ることになるが、被選挙人に対する表示の公平さを欠き、また選挙人には余分な操作が増えることになる。
そこで、本発明の目的は、被選挙人が多数になるような場合でも、全ての被選挙人を、人間の視力にとって十分な大きさで一面に表示でき、かつ、そのための費用が低くおさえられるような投票装置を提供することにある。
上記課題を解決するために本発明の投票装置は、操作機器と、投票管理機器とから構成され、投票では、候補者選択用紙、投票カード、投票の記録原本を用いる。操作機器はペン状の形をしており、ペン先、ペン芯、筆圧センサ、画像センサ、画像処理装置、メモリ、データ送受信装置を具備する。投票管理機器は、平板で薄型の筐体であり、データ表示面、投票カード用リーダ／ライタ、投票の記録原本用ライタ、投票の記録原本抜き取り保護機構、データ送受信装置を具備する。操作機器のデータ送受信装置と、投票管理機器のデータ送受信装置はケーブルで接続される。また、候補者選択用紙は、普通の紙であり、候補者情報と、投票者が候補者を選択する部分と、投票者が選択内容を確認する部分とが印刷されている。
上記構成において、投票者が、当該選挙の投票が可能であるかを識別するための投票カードを投票カード用リーダ／ライタに挿入した状態で、操作機器のペン先で、候補者を選択する部分や選択内容を確認する部分に触れたとき、画像処理装置で候補者情報のコードを取得し、データ表示面で候補者情報を表示し、投票者に選択内容の確認を待って、投票の記録原本に候補者情報を記録する。
該投票装置によれば、表示部に表示すべき情報が選択候補者などに限られるため投票装置全体をコンパクトにすることが可能となる。加えて、選択用紙上において候補者のリストを一覧表示できるので、候補者の公平性の確保、選挙人に対する視認性の確保などにおいて有効である。
なお、該投票装置において、選挙種別、候補者の氏名、所属政党をパラメータとして、ある関数Ｆによってコード化した画像を印刷し、該画像を読みとってコードを取得し、関数Ｆの逆関数であるＧによって、該コードから選挙種別、候補者の氏名、所属政党を取得するようにしてもよい。このようにすることで、選挙毎にプログラムや設定情報の入れ替えなどの作業が発生しないため、運用上有利である。さらに、選挙毎の候補者選択に対するレイアウトを選挙管理者側の裁量によって自由に行うことができる。
また、該投票装置において、操作機器の筐体に光学的補償機構を備えるようにしてもよい。ここで、光学的補償機構は、外光をとりこむことが可能な素材でできており、候補者選択用紙と面で接することが可能なものとする。また、水平な台にこの面を下にして光学的補償機構だけを置いたときに転がらない構造とする。また、この面が囲む領域は候補者情報などを読み取る領域を囲い込めるものとする。さらに、レンズと候補者選択用紙との間の撮影距離を確保できるものとする。さらにまた、光学的補償機構の接する面にはゴムなどすべり摩擦係数の大きい素材の部品を取り付ける。一方、操作機器のスイッチはボタンか操作機器を候補者選択用紙に押しつけることにより動作するものとする。
該投票装置では、操作機器としてペン状の形状のものを想定している。ここで、実際の選挙においては、手先が震える方も多く、このために、候補者選択用紙の候補者選択コード画像に操作機器のペン先の位置をうまくあわすことができない場合も考えられる。そこで、操作機器の筐体に光学的補償機構を備えることで、選挙人である投票者がぶれの少ないコード画像を撮像することが可能となる。
また、該投票装置において、操作機器の光学的補償機構の接面に、ゴムなど静電防止効果のある素材の部品を取り付けてもよい。このようにすることで、ぶれの少ないコード画像を撮像する際に、投票装置の操作機器と候補者選択用紙との接触による静電気の発生を防止することができる。
また、該投票装置において、複数選挙の際、投票装置の候補者選択用紙の背景色を選挙ごとに変え、この背景色のデータもパラメータに加えて候補者情報を生成してもよい。そして、投票装置の表示装置においては、候補者情報から背景色を抽出し、表示画面の色をそれに合わせて表示する。このようにすることで、１つの投票装置で複数の選挙（例えば市長選挙と市議会議員選挙）に対応したいというニーズに対して、投票者によりわかりやすく各選挙を識別してもらうことが可能となる。
発明を実施するための最良の形態
先ず、本発明の第１実施形態について説明する。
図１は本発明の第１実施形態における投票装置、及び、該投票装置利用時に利用される候補者選択用紙を示している。なお、投票装置において、本発明の特徴と直接関係しない、バッテリなどいくつかの関連部品については図示していない。
投票装置は、候補者を選択するための操作機器１００と、選択した候補者を確認する投票管理機器１１０とを有する。また、その他に、通常の紙に候補者情報が印刷された候補者選択用紙１２０を用いる。なお、該投票装置を用いる場合、投票所の受付において、投票者となる各選挙人は、選挙人名簿との対照を済ませた、当該選挙における正当な有権者であり、かつ、その時点において未投票であることを識別するための情報を内部に保有し、情報処理装置から読み取り可能な投票カードを受け取っているものとする。投票カードには、選挙人を特定するような情報を含めずに、投票の秘密を侵すものではない情報しかもたないことが望ましい。
操作機器１００は、ペン状の形をしており、ペン先１０１、ペン芯１０２、筆圧センサ１０３、画像センサ１０４、画像処理装置１０５、メモリ１０６、データ送受信装置１０７を具備する。
投票管理機器１１０は、平板で薄型の筐体であり、データ表示面１１１、投票カード用リーダ／ライタ１１２、投票の記録原本用ライタ１１３、投票の記録原本抜き取り保護機構１１４、データ送受信装置１１５を具備する。操作機器１００のデータ送受信装置１０７と、投票管理機器１１０のデータ送受信装置１１５はケーブル１１６で接続される。なお、投票の記録原本とは、投票結果を格納し、開票集計に利用し、当該選挙の任期中に所定の格納庫内に保管されるものである。投票の記録原本は、投票開始時刻前までか、または、選挙人によるゼロ票確認時に、選挙管理者の立会いのもと、投票の記録原本用ライタ１１３に挿入され、投票の記録原本抜き取り保護機構１１４により、不正抜き取りの防止目的でロックされる。なお、投票の記録原本のゼロ票確認を投票の記録原本挿入前にするか、後にするかは運用ルールに従っているものとする。投票管理機器１１０には、さらに、投票の記録副本用ライタを備えて、全く同じ内容をもつことになる投票の記録原本と投票の記録副本を作成してもよい。しかし、投票の記録原本と投票の記録副本とは何らかの手段（例えば、媒体上のシールなど）により、明確に選挙管理者によって識別できなければならない。
候補者選択用紙１２０は、候補者の氏名や所属政党を示す候補者情報１２１と、投票者が候補者を選択する部分１２２と、投票者が選択内容を確認する部分１２３とが印刷されている。候補者を選択する部分１２２には、操作機器１００の画像センサ１０４により読み取り可能な画像が（可視的／非可視的問わず）印刷される。印刷された画像そのものと候補者を特定する情報とが直接関連付けられる場合、及び、非直接的に関連付けられる場合のどちらで適用してもよい。例えば、直接的に関連付けられる場合とは、バーコード等のように特定画像と候補者情報が直接関連付けられる場合であり、非直接的に関連付けられる場合とは、画像が印刷面の位置を示す情報をもち、候補者情報が印刷面の位置と対応付けられている場合等である。
画像と候補者情報との関連テーブルは、本実施形態では、操作機器内の画像処理装置が有しており、画像の読み取り時にテーブルを参照して候補者情報を生成し投票管理器へ送信する。しかし、読み取った画像情報又は中間段階の情報を投票管理器へ送信し、投票管理器内部でコード変換を行って候補者情報を抽出してもよい。
操作機器１００と投票管理機器１１０とからなる投票装置と、候補者選択用紙１２０は投票記載台上に設置され、当該投票者以外の者からは、覗き見などによって投票の秘密が侵されることがないようになっている。また、投票管理機器は投票所から不正に持ち出されることがないように十分な強度をもって投票記載台に固定されているものとする。
図２は本発明の第１実施形態における投票装置、及び、該投票装置利用時に利用される候補者選択用紙を用いたときの投票者の利用手順を示している。
投票カードの交付を受けた投票者は、投票記載台に固定された投票装置の投票管理機器１１０の投票カード用リーダ／ライタ１１２に挿入する（ステップ２０１）。次に、投票者は操作機器１００を用いて、候補者選択用紙１２０に印刷されている候補者情報１２１を見ながら、操作機器のペン先１０１で候補者を選択する部分１２２に触れる（ステップ２０２）。このとき、投票装置が正常動作すれば、投票管理機器１１０のデータ表示面１１１上に選択した候補者の情報が表示される。次に、表示内容に誤りがないか、または、選択する候補者を修正する必要がない場合には、投票者は候補者選択用紙の確認部分１２３に触れる（ステップ２０３）。このとき、投票装置が正常動作すれば、投票管理機器１１０の投票の記録原本用ライタ１１３によって、投票の記録原本に該候補者情報が記録され、データ表示面１１１上に投票完了した旨が表示され、投票カードの抜き取りをうながす状態になる。最後に、投票者は投票カードを抜き取って選挙管理者に返却する（ステップ２０４）。図２の右欄には投票者の操作に応じた投票装置側の内部処理を対応付けて示す。この詳細に関して図３、４を用いて説明する。
図３、図４は、本発明の実施の形態における投票装置の動作を示すものである。
操作機器１００のペン先１０１、ペン芯１０２は候補者選択用紙に触れるものであり、インキなどは入っていない。操作機器のペン先が何かに触れると、筆圧センサ１０３が動作し（ステップ３０１）、画像センサ１０４が働き（ステップ３０２）、画像処理装置１０５によって取得した映像をデータ化する（ステップ３０３）。このデータはメモリ１０６に格納する（ステップ３０４）。そして、メモリに格納されているデータセットをデータ送受信装置１０７、１１５を介して投票管理機器にデータ通信する（ステップ３０５）。
ステップ３０３で生成されるデータには、候補者情報を表すコードＡ、確認情報を表すコードＢ、及び、エラーコードＣ、正常動作コードＤの４つの種類がある。ペン先１０１が選択用紙の候補者を選択する部分１２２に触れたときコードＡ、コードＤを生成し、ペン先１０１が選択用紙の確認部分１２３に触れたときにコードＢを生成し、それ以外のところに触れたとき、または、画像処理による認識に失敗したときにエラーコードＣを生成する。
ステップ３０４でメモリに格納されるデータセット３１０は、候補者情報エリア３１１と確認情報エリア３１２とにわかれ、コードＡは候補者情報エリアを上書きし、コードＢ、コードＣ、コードＤは確認情報エリアを上書きする。データセット［候補者情報エリア、確認情報エリア］には、以下の状態がある。
状態０：［コード無、コード無］（初期状態）
状態１：［コードＡ、コードＤ］（候補者選択部分に触れ、正常動作したとき）
状態２：［コードＡ、コードＢ］（状態１の後、確認部分に触れ、正常動作したとき）
状態３：［コードＡ、コードＣ］（状態１の後、異常動作したとき）
状態４：［コード無、コードＤ］（状態０の後、確認部分に触れ、正常動作したとき）
状態５：［コード無、コードＢ］（状態４の後、確認部分に触れ、正常動作したとき）
状態６：［コード無、コードＣ］（状態０の後、異常動作したとき）
さて、投票管理機器１１０は、ステップ４０１で受信したデータセットの状態によって動作が異なる。
状態１の場合は、投票カードが有効な状態であることを確認し（ステップ４０２、４０３）、投票管理機器のデータ表示面１１１に候補者情報を表示する（ステップ４１１）。
状態２の場合は、投票カードが有効な状態であることを確認し（ステップ４０２、４０３）、投票の記録原本用ライタ１１４によって投票の記録原本に候補者情報を追加記録し（ステップ４０５）、データ表示面１１１に記録が完了した旨を表示し（ステップ４０６）、投票カード用リーダ／ライタ１１３によって投票カードを無効状態にして（ステップ４０７）、投票カードを抜き取れる状態にし（ステップ４０８）、データ送受信装置１１５、１０７を介して操作機器に投票完了した旨をデータ通信する（ステップ４０９）。このとき、操作機器はメモリ内のデータを初期状態にする。
状態３の場合は、投票管理機器のデータ表示面１１１にエラー情報を表示する（ステップ４１３）。
状態４の場合は、投票カードが有効な状態であることを確認し（ステップ４０２、４０３）、投票管理機器のデータ表示面１１１に候補者が何も選択されていない旨を表示する（ステップ４１２）。
状態５の場合は、投票カードが有効な状態であることを確認し（ステップ４０２、４０３）、投票の記録原本用ライタ１１４によって投票の記録原本に候補者情報を追加記録し（ステップ４０５）、データ表示面１１１に記録が完了した旨を表示し（ステップ４０６）、投票カード用リーダ／ライタ１１３によって投票カードを無効状態にして（ステップ４０７）、投票カードを抜き取れる状態にし（ステップ４０８）、データ送受信装置１１５、１０７を介して操作機器に投票完了した旨をデータ通信する（ステップ４０９）。このとき、操作機器はメモリ内のデータを初期状態にする。なお、状態５に示した処理が規則によって認められない場合は、状態４に示した処理を行うものとする。
状態６の場合は、投票管理機器のデータ表示面１１１にエラー情報を表示する（ステップ４１３）。
以上説明したとおり、本実施形態によれば、単なる紙である選択用紙に候補者情報、候補者選択部分、確認部分だけを印刷しておけば、投票装置の操作機器で該選択用紙に触れるたけで、投票の記録原本に候補者情報を記録して、投票を完了することができる。このときに利用される投票装置は、ペン型の操作機器と平板薄型の投票管理機器との２つだけで構成されるが、投票管理機器のデータ表示部は、候補者情報を１名分程度表示できれば良く、必要以上に大きくする必要がないし、投票装置全体も低価格となる。これは、投票装置の搬送、保管、導入、消費電力の全てにおいて有効である。また、投票装置の操作機器は物理的空間で自由に動かせるので使い勝手が良く、投票管理機器は記載台に固定されるので不正な持ち出しの心配がほとんどない。選択用紙は紙であるので、例え、候補者の数が５０名以上と多数になるような場合でも、一面で十分な大きさの文字をもって候補者全員を表示できるので、候補者間の表示による不公平の問題を解決できる。また、候補者情報の届け出で、法律などで使用が認められているような外字や記号を表示することが求められる場合でも、柔軟に対応できる。
投票の秘密に関しては、覗き見に対しては従来どおり記載台によって保護できるし、投票の記録原本には選挙人の個人情報には含まれない。
不正投票、二重投票の防止に関しては、従来どおり受付での選挙人名簿の対照を行い、当該選挙に対する有効／無効の状態を書き込むことが可能な投票カードを交付することで、運用を含めれば十分に対応できる。投票カードはできるだけ偽造しにくい方が望ましいが、投票カードとしてＩＣカードを利用して、公開鍵暗号方式による署名などを行うようにすると、コストが高くなる。
投票の記録原本に対する任期期間中の可読性は、候補者情報として、標準的なアスキーコードなどで当該選挙の種類、候補者の氏名、及び、所属政党を記録しておけば、ほとんどの場合、保証される。また、投票の記録原本は、投票ごとに追加記録されるので、他の投票者による投票とマージされず、一投票ごとに記録されており、開票集計後もそのまま保管できる。
候補者選択用紙は何枚コピーしたとしても投票の安全性を損なうものではなく、従って、投票所の数がＭ，投票装置の数がＮの場合でも、Ｍ＊Ｎの枚数の選択用紙を迅速に、かつ、低コストで準備できる。なお、図５に示したように、選択用紙に印刷する候補者情報のコードＡを可逆関数Ｆ，Ｇ（Ｆの逆関数）を用いて、コードＡ＝Ｆ（当該選挙の種別、候補者の氏名、所属政党）によって生成し（ステップ５０３）、投票装置にて、［当該選挙の種別、候補者の氏名、所属政党］＝Ｇ（コードＡ）によって、投票の記録原本に書き込むデータを求める（ステップ５１３）ようにすれば、投票装置側は、選挙の種類や候補者に依存した設定変更は不要である。変更が必要なのは選択用紙の印刷だけである。現行の制度に従えば、候補者に関する変更が投票日の前日まで可能であるが、選択用紙の変更だけで済むのは、運用面でかなり有効である。
図６は本発明の第１実施形態における別の投票装置を示している。
図６に示した投票装置と図１に示した投票装置との差は、図６の投票装置では、操作機器の筐体の外部にボタン、または、レバーによる動作スイッチ６０１を備え、このスイッチを投票者がオンにしているときのみ、ペン先付近の画像を取得して、候補者情報や確認情報を得ることである。図６の投票装置の操作機器では筆圧センサは不要である。
この投票装置の操作機器では、投票者がスイッチをオンにするという動作が増えるが、操作機器が選択用紙紙面に触れる必要はなく、候補者情報選択部分や確認情報部分が印刷されている方向に向けるだけでよい。つまり、非接触になるので、選択用紙に投票の痕跡が残るという心配がなくなる。
なお、本発明の第１実施形態では、当該選挙が投票所において単一であるものとして説明してきたが、１つの投票装置で、複数選挙へ拡張対応することも容易である。以下、この方法について説明する。
複数選挙においては、投票所で取り扱う当該選挙分の候補者選択用紙を全て準備する。例えば、図７では「第１００回Ａ市市議会議員選挙用」７０１と「第５０回Ｂ県知事選挙用」７０２とを記載台に準備している。このとき、大部分の選挙人は、いずれの選挙にも投票を行うことができるが、いずれか一方にしか投票できない場合がある。例えば、ある選挙人が同一県Ｂ内のＣ市から転居したばかりの場合、選挙人名簿の調製時点では、Ａ市市議会議員選挙の有権者ではないが、Ｂ県知事選挙の有権者ではある。このような場合に備えるために、図８に示したように、投票カード１３０に、各選挙ごとの正当な有権者であり、かつ、その時点において未投票であることを識別するための情報８０１、８０２を充填する。この情報は、一枚の投票カードに格納してもよいし、それぞれの情報を別々の投票カードに格納してもよい。このような準備の上で、投票者が操作機器を操作して、各選挙の候補者選択部分や確認情報部分に触れたときには、投票カードの情報が有効な状態であることを確認しながら動作する。なお、図８の投票カードの情報は、既に「Ｂ県知事選挙」の投票を完了し、「Ａ市市議会議員選挙」の投票が可能であることを示している。
このようにすることで、単一選挙であろうと、複数選挙であろうと投票装置が持つべき機能はほとんど同じのままで対応できる。
以上、本発明の第１実施形態について説明した。
本実施形態によれば、単なる紙である選択用紙に候補者情報、候補者選択部分、確認部分だけを印刷しておけば、投票装置の操作機器で該選択用紙に触れるだけで、投票の記録原本に候補者情報を記録して、投票を完了することができる。このときに利用される投票装置は、ペン型の操作機器と平板薄型の投票管理機器との２つだけで構成されるが、投票管理機器のデータ表示部は、候補者情報を１名分程度表示できればよく、必要以上に大きくする必要がないし、投票装置全体も低価格となる。これは、投票装置の搬送、保管、導入、消費電力の全てにおいて有効である。また、投票装置の操作機器は物理的空間で自由に動かせるので使い勝手が良く、投票管理機器は記載台に固定されるので不正な持ち出しの心配がほとんどない。選択用紙は紙であるので、例え、候補者の数が５０名以上と多数になるような場合でも、一面で十分な大きさの文字をもって候補者全員を表示できるので、候補者間の表示による不公平の問題を解決できる。また、候補者情報の届け出で、法律などで使用が認められているような外字や記号を表示することが求められる場合でも、柔軟に対応できる。
投票の秘密に関しては、覗き見に対しては従来どおり記載台によって保護できるし、投票の記録原本には選挙人の個人情報には含まれない。
不正投票、二重投票の防止に関しては、従来どおり受付での選挙人名簿の対照を行い、当該選挙に対する有効／無効の状態を書き込むことが可能な投票カードを交付することで、運用を含めれば十分に対応できる。投票カードはできるだけ偽造しにくい方が望ましいが、投票カードとしてＩＣカードを利用して、公開鍵暗号方式による署名などを行うようにすると、コストが高くなる。
投票の記録原本に対する任期期間中の可読性は、候補者情報として、標準的なアスキーコードなどで当該選挙の種類、候補者の氏名、及び、所属政党を記録しておけば、ほとんどの場合、保証される。また、投票の記録原本は、投票ごとに追加記録されるので、他の投票者による投票とマージされず、一投票ごとに記録されており、開票集計後もそのまま保管できる。
候補者選択用紙は何枚コピーしたとしても投票の安全性を損なうものではなく、従って、投票所の数がＭ，投票装置の数がＮの場合でも、Ｍ＊Ｎの枚数の選択用紙を迅速に、かつ、低コストで準備できる。なお、選択用紙に印刷する候補者情報のコードＡを可逆関数Ｆ，Ｇ（Ｆの逆関数）を用いて、コードＡ＝Ｆ（当該選挙の種別、候補者の氏名、所属政党）によって生成し、投票装置にて、［当該選挙の種別、候補者の氏名、所属政党］＝Ｇ（コードＡ）によって、投票の記録原本に書き込むデータを求めるようにすれば、投票装置側は、選挙の種類や候補者に依存した設定変更は不要である。変更が必要なのは選択用紙の印刷だけである。現行の制度に従えば、候補者に関する変更が投票日の前日まで可能であるが、選択用紙の変更だけで済むのは運用面でかなり有効である。
投票装置の操作機器をスイッチ式の非接触リード可能なものにすれば、投票者がスイッチをオンにするという動作が増えるが、操作機器が選択用紙紙面に触れる必要がなくなり、選択用紙に投票の痕跡が残るという心配がなくなる。
また、本実施形態によれば、単一選挙であろうと、複数選挙であろうと投票装置が持つべき機能はほとんど同じのままで対応できる。
次に、本発明の第２実施形態について説明する。
図９は本発明の第２実施形態における投票装置の全体構成を示している。投票装置０は、候補者情報を印刷した候補者選択用紙２と、候補者情報を取得するための操作機器１と、投票内容を確認する表示装置４と、投票の記録原本または記録副本８に投票内容を記録する投票記録装置５と、情報処理及び各機器・装置の制御を行う情報処理装置３と、を有する。その他に、操作者が、有権者で且つ未投票の者であることを確認するための投票カード７に読み書きするカードリーダライタ６を具備する場合もある。図９では、これら各装置・機器が配線によって接続されている図を示しているが、これらの一部が一体化している場合もある。例えば、情報処理装置３、表示装置４、記録装置５およびカードリーダライタ６が一体化する。ただし、候補者選択用紙２のみ他の機器・装置と一体化することはない。なお、本実施形態では、候補者選択用紙２も投票装置０の一部であると定義するが、投票装置０の一部には含まないものとして定義してもよい。
図１０は本発明の第２実施形態における投票装置０の操作機器１およびその周辺部の構成を示している。操作機器１は、筐体１０内部に、レンズ１２、撮像画像を電気信号に変換するＣＣＤなどの撮像素子１３、取りこんだ映像を規定のフォーマットの信号に変換する映像信号処理部１４、該信号を外部の情報処理装置に転送するデータ転送インタフェース１５、及び、映像信号処理部を駆動するスイッチ１１が内蔵されている。スイッチ１１自身は、通常、機械的、あるいは、その他の別手段により駆動される。また、筐体１０外部には、レンズ側に光学的補償部１６があり、候補者選択用紙２とレンズ１２との間の撮影距離を確保できるようになっている。また、インタフェース１５には、外部の情報処理装置にデータを転送するためのケーブル２０も接続されている。
図１１は本発明の第２実施形態における投票装置０の操作機器１の外観を示している。操作機器１の筐体１０は円筒状の形状をしており、レンズ１２側にあたる前方面３１には、外光を取りこむことができる材質でできた同じく円筒状の光学補償部１６が備え付けられている。ただし、中は空洞である。また、レンズ側と反対に位置する筐体の後方面３２には操作者により押しこみが可能なボタン３４を備え、操作者がこのボタンを押すと、スイッチ１１が動作し、スイッチ１１は映像信号処理部１４を駆動する。なお、ボタン３４は必ずしも後方面３２に備えられている必要はなく、筐体の側面３３に位置してもよい。ただし、側面３３の場合には後方面３２に比べてボタン操作による操作機器１のぶれを誘引する可能性が高くなる。
図１２は本発明の第２実施形態における候補者選択用紙２に印刷する候補者情報の例を示している。本実施形態で用いる候補者選択用紙２には、各候補者の印刷領域４１に、候補者の属性を示す文字など４２と、候補者の属性をコード化した画像（候補者情報）４３が印刷されている。ここで、コード化した画像には、通常、バーコード、または、２次元コードを用いる。よく利用される２次元コードの規格としては、ＱＲコード、データマトリックスコード、ＰＤＦ４１７コードなどが有名である。２次元コードを用いれば、長い文字列をパラメータとしてコード化することができるため、本実施形態においては、これを用いることを前提に説明する。
図１３は本発明の第２実施形態における候補者情報と、光学補償部の接面との領域の関係を示している。光学補償部の接面５１は、投票者が操作機器１を操作して、投票を行っているときに、候補者選択用紙２と光学補償部１６とが接する面であり、操作機器１を安定的に用いれば、接面５１の外周の全ては候補者選択用紙２に密着する。ただし、一部、または、全部が密着していなくても、候補者情報を取得することは可能である。しかし、このときは、投票者のボタン操作時のタイミングで操作機器１のぶれを誘引する原因となるので、接面５１の外周全部を密着させて操作（投票）することを推奨する。このとき、光学補償部１６の接面５１は、候補者選択用紙２に印刷された候補者情報４３を内側に囲い込むのに十分でなければならない。言い換えると、候補者選択用紙２を準備する際には、候補者情報は、光学補償部１６の接面５１の内側に入り込むよう大きさで印刷しなければならない。ただし、操作機器１に内蔵される撮像素子には、解像度において限界があるため、小さ過ぎてもよくない。
図１４は本発明の第２実施形態における操作機器１の光学補償部１６の幾何学的条件を示している。一般に、レンズ１２の焦点距離をＦ、レンズ１２と候補者選択用紙２との間の撮影距離をＡ、レンズ１２と撮像素子１３との間の距離をＢとすると、Ｆ＝ＡＢ／（Ａ＋Ｂ）の関係式が成立するのが理想である。本実施形態の操作機器１においては、光学補償部１６の接面５１が候補者選択用紙２に密着した状態で投票者が操作することを前提にするので、光学補償部１６の垂直方向の幾何学的条件は、撮影距離Ａが上式を満足するようにする。ただし、多少の誤差があっても、画像処理によって、ボケやぶれなどは補正が可能である。
図１５は本発明の第２実施形態における操作機器１の光学補償部１６のぶれ防止部、または、静電防止部を示している。光学補償部１６の接面５１に、紙とのすべり摩擦係数が大きい素材７１（例えばゴムなど）を接着する。投票者には、手先が定まらず、操作機器１を安定して操作することができない場合もしばしばである。そこで、このような素材７１を接着していることで、投票者がある候補者情報の上に操作機器１の光学補償部１６を接触させたときに、すべることが少なくなる。特に、操作機器１のボタンを押すタイミングにおいてこのことは重要であり、結果として、ぶれの少ない画像を取得することができる。
同様に、光学補償部１６の接面５１に、静電防止効果のある素材７１（例えばゴムなど）を接着する。公職選挙など投票日には、季節や気象条件は関係無く、しかも、利用される投票所は、温度や湿度などの環境面の条件がよいとは限らない。従って、特に乾燥期には静電気が発生しやすい状況にある。本実施形態の投票装置０は、電子部品を多数使用しており、静電気は故障の原因になりやすい。特に、記載台（一般的には金属製）、候補者選択用紙２、操作機器の光学補償部１６との間は、こすれ（摩擦）が頻繁に発生するため、静電気が発生しやすい個所である。そこで、このような素材７１を接着していることで、投票者がある候補者情報の上に操作機器１の光学補償部１６を接触させたときに、静電気による内部の電子部品への影響を小さくすることができる。
図１６は本発明の第２実施形態における操作機器１の外形の例を示している。図９〜図１５においては、操作機器１の筐体１０、及び、光学補償部１６は円筒の形状をしているものとして説明してきた。また、筐体１０の前方面３１（レンズ側の面）に光学補償部１６は連結しているものとして説明してきた。しかし、形状においては、使い勝手やデザインなどの観点からはこの限りではない。
図１６（ａ）〜（ｃ）は、光学補償部１６の形状の違いを示している。図１６（ａ）（ｃ）の光学補償部８１、８３は、連結面と接面とで大きさが異なっている。これは筐体１０を細めにして使い勝手をよくし、かつ、候補者情報が大きめの場合に有効である。図１６（ｂ）（ｃ）の光学補償部８２、８３は、筐体の形状とは異なり、連結面と接面を四角形にしたものである。
図１６（ｄ）は、筐体１０の側面３３に光学補償部１６を連結した場合を示している。この場合には、ボタン３４の位置は筐体１０の後方面よりは側面３３に配置した方が使い勝手がよい。その他、筐体１０を平面状にしたり、曲面をもたせたり、凹凸をもたせるなどいろいろなデザインが考えられる。
図１７は本発明の第２実施形態におけるスイッチに連動する操作機器１の光学補償部１６を示している。操作機器１の筐体１０と光学補償部１６との連結部分に、伸縮可能な弾性機構９１を挿入する。そして、筐体１０側の基盤９２と基盤９２上の接触回路９３は筐体１０と連動するように固定する。一方、光学補償部１６側の導電ゴム９４は光学補償部１６と連動するように固定する。導電ゴム９４と接触回路９３が触れると、基盤９２に電流が流れ、スイッチの役割を果たす。投票者が操作機器１を操作して光学補償部１６を候補者選択用紙２に強めに押し付けると、弾性機構９１に縮もうとする力が働き、導電ゴム９４と接触回路９３の隙間分だけ縮むと、スイッチが動作して、候補者情報を取得することができる。これにより、操作機器１にボタンを設ける必要がなくなるため、投票者の操作が簡素化される。すきまが十分小さければ、上下の移動分も少なく、候補者情報取得時のボケやぶれが少ない品質のよい画像を取得することができる。
図１８は本発明の第２実施形態における候補者選択用紙２を示している。候補者選択用紙２は、選挙種別を示す文字列の領域１０００、候補者を選択する領域１０１０、投票を確定する領域１０２０とからなる。選挙種別を示す文字列の領域１０００から操作機器１が情報を取得することはなく、候補者選択領域１０１０及び投票確定領域１０２０から情報を取得する。候補者選択領域１０１０の各候補者の並び順はくじなどにより決定する。
一般に、公職選挙では二重投票の不正を防止する必要があり、その有効な方法の１つとして、投票カードが用いられる。投票カードには、当該選挙に有効な一票の権利を確認するためのデータ（フラグ）が格納されており、このデータ（フラグ）が有効なときのみ、投票装置は正常に動作を完了できる。このデータ（フラグ）は投票内容が記録原本、または、副本に記録された後に、無効化される。ここでは、投票行為が有効な状態にあるものとして説明する。
投票者は以下の手順により投票を行う。
（１）候補者選択領域１０１から候補者情報４３を取得する。
（２）投票確定領域１０２から投票情報１０３、または、やりなおし情報を取得する。
上記（１）の手順を経ずに、（２）の手順に進んでも、投票の確定（記録）がおきないように、投票装置０の情報処理装置３はプログラムされる。これは、投票者の意思確認がないまま、投票が確定（記録）されることを防止するためである。このように、投票者が操作機器０を扱う基本的手順は２つだけと簡単である。
候補者情報４３は、選挙種別、候補者名、政党名などをパラメータとしてコード化した画像である。例えば、「第１００回東西市長選挙」「東西太郎」「ＡＢ党」をパラメータとして含んでいる。投票者がこの候補者情報（コード化画像）を選択したとき、投票装置は「第１００回東西市長選挙」「東西太郎」「ＡＢ党」などを抽出することができる。一方、投票情報は「投票」、やりなおし情報は「やりなおし」を特殊コマンドとしてパラメータとしてコード化した画像である。これら特殊コマンドのコード化画像は候補者情報のコード化画像と混同しないように工夫する。
図１９は本発明の第２実施形態における投票装置の表示例を示している。
投票者が上記（１）の手順を行ったときは、表示装置４の表示部には、選挙種別１１１０と、候補者名及び政党名１１２０と、投票者に対するメッセージ１１３０とが表示される。それぞれの文字の大きさはある程度の弱視者にとっても十分なものとする。この時点では、投票内容を記録原本、または、副本には記録されず、投票者に投票内容に間違いがないかどうかの意思確認を行っているのみである。次に、投票者が上記（２）の手順を行ったときは、投票内容が記録原本、及び、記録副本に記録され、表示装置４の表示部の投票者に対するメッセージ１１４０を表示して、投票が完了したことを告げる。これで、当該選挙の投票は完了である。実際には、投票カードの当該選挙に対する一票の権利の無効化、及び、投票カードの抜き取り指示もこのタイミングで実施される。この後は、同じ投票者が同一の候補者選択用紙２から情報を取得することはできない。
このように、候補者リストを候補者選択用紙２に印刷し、投票内容の確認を表示装置４で行う構成によって、弱視者にとっても十分な文字の大きさ（視認性）を確保したまま、表示装置４を小型化することができる。小型化により、設置・搬送・保管その他で優位となる。
図２０は本発明の第２実施形態における候補者が多い場合の候補者選択用紙２を示している。当該選挙の候補者が多い場合には、例えば、見開き可能なメニュー台紙１２００に候補者選択用紙２を貼りつけて、候補者の一覧性表示を確保する。これにより、候補者に対する公平性を確保することができる。
図２１は本発明の第２実施形態における複数選挙における候補者選択用紙２と表示装置４での表示との対応関係を示している。複数の選挙に対する投票が、同一の投票日、同一の投票所にて実施される場合がある。このとき、現行においては、混乱を避けるため、各選挙ごとに、記載台、及び、投票箱を区別して投票が行われている。しかし、本実施形態では、１つの記載台上の投票装置０で複数の選挙に対応する電子投票を可能とすることができる。
本実施形態の投票装置０では、候補者選択用紙２を選挙ごとに準備する。例えば、東西市長選挙用１３１と、東西市議会議員選挙用１３２とを準備し、各記載台には両選挙用紙を備え付ける。このとき、各選挙用の候補者選択用紙１３１、１３２の背景色をかえておく。例えば、それぞれ水色と薄黄色とにする。これに対し、表示装置４では、各選挙用に合わせて背景色を変えて表示する。つまり、候補者選択用紙１３１を用いて操作を行っているときには背景色を水色１３３にし、候補者選択用紙１３２を用いて操作を行っているときには背景色を薄黄色１３４にする。これにより、投票者は複数選挙時の当該選挙の確認がしやすくなる。これを実現するためには、候補者情報、投票情報、やりなおし情報のコード化画像を生成する際に色情報もパラメータとして加えればよい。
図２２は本発明の第２実施形態における投票装置０の記載台への設置例を示している。図２２（ａ）は、１つの記載台１４０に１つの投票装置０をスタンドアロンで設置する場合の例である。記載台１４０は投票者の投票をしやすい適当な高さを確保するとともに、横からの覗き見をしにくくしているものである。この例では、投票装置０における情報処理装置３、表示装置４、記録装置５、投票カードリーダライタ６を一体化１４１して、記載台１４０の上に設置している。一般に、現行の紙ベースの投票において使用されている記載台は、構造的に重い装置を載せるものとして設計されていない。しかし、本実施形態の投票装置１４０は、表示装置４が小型化できるので、重さという点でも優位である。
図２２（ｂ）は、記録装置１４３の部分だけを外付けにし、記載台１４０の上ではなく、投票者からはアクセスしにくい場所に設置する例である。投票者にとっては、記載台１４０上では、投票カードの挿入、投票行為、表示による投票確認が行えれば十分である。つまり、情報処理装置３、表示装置４、投票カードリーダライタ６を一体化１４２する。記録装置１４３をアクセスしにくい場所に設置することで、投票の記録原本、または、副本が不正行為に合う危険性を小さくすることができる。また、記録装置１４３を外付けにすることで、さらに記載台１４０上の投票装置０の重さも軽くなる。
図２２（ｃ）は、複数の記載台１４０上の投票装置０が１つの記録装置１４５を共有する場合の例である。各記載台１４０の投票装置本体１４４は、ネットワークケーブル１４７を介してハブ１４６に接続され、記録装置５を内蔵した情報処理装置１４５もハブ１４６に接続される。各投票装置本体１４４と記録装置５を内蔵した情報処理装置１４５は、データ通信プロトコルによって投票内容などのデータが送信される。いわゆるクライアントサーバ方式である。本装置構成を用いると、投票所で必要な記録原本、及び、副本の必要枚数が減る。つまり、開票所で開票しなければならない枚数が減り、開票時には優位である。ただし、サーバ１４５が投票中にダウンすると、それに連なるクライアント１４４全ての利用も停止しなければならないため、サーバには信頼性が求められる。
図２３は本発明の第２実施形態において、投票所と開票所をオンライン接続する場合の投票装置０の全体構成を示している。投票所と開票所をルータやファイアウォールなどのネットワーク機器群１５３、１５４を用いて広域ネットワーク１５５に接続し、投票所と開票所のオンライン化をする場合の例である。この例では記録装置５を開票所側に設置しており、投票者の操作によって投票行為を完了する（記録原本８に投票内容を書きこむ）ことを実現するには、各投票毎に情報処理装置１５１、１５２の間で逐次データ通信を行う必要がある。投票内容そのものには、投票者の投票の秘密を侵すようなものは含まれてないが、開票時刻前に外部に投票内容が明らかになると、候補者の有利不利がわかってしまうため、少なくとも、両所のネットワーク機器１５３、１５４間ではネットワーク上の暗号通信を行うことが望ましい。
図２４は本発明の第２実施形態における選挙管理者側の投票開始時刻前までの準備作業のフローを示している。選挙管理者は選挙管理事務所などにて、候補者選択用紙２のレイアウトを専用のソフトウェアで作成する（ステップ１６１）。このとき、各候補者の属性などをパラメータとして候補者情報（コード化した画像）も生成する。当該選挙のレイアウトが完成したら、候補者選択用紙２をプリンタで必要部数印刷する（ステップ１６２）。または、１枚だけ印刷し、必要部数は複写機で準備してもよい。そして投票装置０の本体（候補者選択用紙２を除く一式）との接続テストを実施する（ステップ１６３）。テストに成功したら、各投票所の担当者にそれぞれの必要部数（記載台数＋予備）を分配する（ステップ１６４）。ここまでは、選挙管理事務所など１ヶ所で集中して準備できる。
各投票所の担当者は投票所に候補者選択用紙２やその他必要な機材を搬送し（ステップ１６５）、各記載台１４０へ候補者選択用紙２を含む投票装置０を設置し、必要な設定を行う（ステップ１６６）。そして、最終的な動作確認テストを完了して、投票開始時刻まで待機する（ステップ１６７）。
図２５は本発明の第２実施形態における選挙管理者側の投票開始時刻直後の零票確認作業のフローをを示している。投票開始時刻直後は、有権者の立会いのもと、記録原本、及び、副本となる媒体の包装を開封し（ステップ１７１）、媒体にラベルをはりつける（ステップ１７２）。ラベルには、正・副の区別、及び、当該選挙種別が記述されていればよい。複数選挙分を１つの媒体に記録する場合には、全ての選挙種別をラベルに記載するのが望ましい。次に、記録原本、及び、副本を記録装置５に挿入し（ステップ１７３）、表示装置４によって記録原本、または、副本には従前に記録がないことを確かめる（ステップ１７４）。そして、記録原本、及び、副本が不正に抜き取られないように鍵をかけるなど必要な措置をとる（ステップ１７５）。なお、上記の説明は例であり、零票確認がこの手順によるとは限らない。
図２６は本発明の第２実施形態における投票所のレイアウトと、投票者の投票所内の移動順序の例を示している。当該選挙の有権者は、受付１８１で簡単なチェックを行い、選挙人名簿との対照コーナー１８２で、持参した選挙葉書と選挙人名簿との対照を行う。選挙人名簿は当該選挙の有権者リストからなり、不在者投票に投票完了した者、及び、選挙人名簿との対照を完了した者はその旨が選挙人名簿側に記載されている。名簿対照を済ませると、投票カード交付所１８３にて当該選挙の一票の権利のデータが有効化されている投票カードを受け取る。次に、記載台所１８４に向かい、投票カードを挿入し、候補者選択用紙上の候補者情報を操作機器により選択取得する。取得した候補者情報は表示装置にて確認する。次に、投票を確定し、記録原本、及び、副本に投票内容を記録して投票を完了し、投票カードを抜き取る。最後に、投票カード回収所１８５にて投票カードを回収してもらう。
図２７は本発明の第２実施形態における選挙管理者側の投票終了時刻後の作業のフローを示している。各投票所の担当者は投票装置０の終了処理を行い（ステップ１９１）、鍵をあけて、記録装置５から記録原本、及び、副本を抜き取る（ステップ１９２）。記録原本、及び、副本は所定の封印を行う（ステップ１９３）。開票所では、各投票所から搬送された封印付き記録原本を開被台の上に用意し（ステップ１９４）、開票の合図とともに封印を解いて（ステップ１９５）、開票集計作業にあたる（ステップ１９６）。開票集計作業は、開票集計装置に記録原本を読みこませることで行う。
図２８は本発明の第実施形態における記録原本、または、副本に記録されるデータ構造の例を示している。記録原本に記録されるデータ構造２００は、選挙種別、及び、候補者名を含んでいる。政党名はオプションである。１投票あたり選挙種別を含める場合と、記録原本全体に１つの選挙種別を割り当てる場合とがあるが、１つの記録原本で、複数の選挙に対応するには、１投票毎に選挙種別を記録した方がよい。開票集計装置は、選挙種別毎に投票を振り分けて処理し、候補者名によって該候補者の票を数えることになる。
以上、本発明の第２実施形態について説明した。
本実施形態によれば、上記の第１実施形態の効果に加えて次の効果をさらに有する。すなわち、投票者が操作機器を安定して操作をすることができないような方でも、比較的安定した操作が可能であり、結果として、候補者情報の取得、投票内容の抽出が安定化する。つまり、全投票者の投票にかかる平均時間を短縮することにもつながる。
また、第２に操作機器を候補者選択用紙の該当部分に押しつけるだけで、ボタン操作をしなくても投票行為を行うことができる。また、静電気などによる投票装置の電子部品への影響を軽減できる。
また、複数選挙のとき、候補者選択用紙と表示装置上の表示画面の対応関係が容易に理解でき、投票の間違いが少なくなる。
なお、上記の各実施形態おいては、日本の公職選挙の制度をもとに、説明してきたが、投票装置の仕組みにおいては、日本以外の国や地方においても有効である。また、公職選挙の投票に限らず、住民投票やアンケートなどにも本発明は有効である。
以上説明したように、本発明によれば、被選挙人が多数になるような場合でも、全ての被選挙人を、人間の視力にとって十分な大きさで一面に表示でき、かつ、そのための費用が低くおさえられるような投票装置を提供できる。
【図面の簡単な説明】
図１は本発明の第１実施形態の投票装置の構成を示す図である。
図２は本発明の第１実施形態の投票装置を用いる際の投票者の手順を示す図である。
図３は本発明の第１実施形態の投票装置の操作機器における動作順を示す図である。
図４は本発明の第１実施形態の投票装置の投票管理機器における動作順を示す図である。
図５は本発明の第１実施形態の選挙種別、候補者属性のコード化、デコード化を示す図である。
図６は本発明の第１実施形態の投票装置の第２の操作機器を示す図である。
図７は本発明の第１実施形態の投票装置で複数選挙に対応する場合の候補者選択用紙を示す図である。
図８は本発明の第１実施形態の投票装置で複数選挙に対応する場合の投票カードのデータを示す図である。
図９は本発明の第２実施形態の投票装置の全体構成を示す図である。
図１０は本発明の第２実施形態の投票装置の操作機器の詳細ブロック図である。
図１１は本発明の第２実施形態の投票装置の操作機器の外観を示す図である。
図１２は本発明の第２実施形態の候補者選択用紙に印刷される候補者情報の例を示す図である。
図１３は本発明の第２実施形態の候補者選択用紙に印刷された候補者情報と、光学補償部の接面との領域の関係を示す図である。
図１４は本発明の第２実施形態の操作機器の光学補償部の幾何学的条件を示す図である。
図１５は本発明の第２実施形態の操作機器の光学補償部のぶれ防止部、静電防止部を示す図である。
図１６は本発明の第２実施形態の操作機器の外形の他の例を示す図である。
図１７は本発明の第２実施形態のスイッチに連動する操作機器の光学補償部を示す図である。
図１８は本発明の第２実施形態の候補者選択用紙を示す図である。
図１９は本発明の第２実施形態の投票装置の表示画面例を示す図である。
図２０は本発明の第２実施形態において候補者が多い場合の候補者選択用紙を示す図である。
図２１は本発明の第２実施形態の複数選挙における候補者選択用紙と画面表示の対応関係を示す図である。
図２２は本発明の第２実施形態の投票装置の記載台への設置例を示す図である。
図２３は本発明の第２実施形態における投票所と開票所をオンライン接続する場合の投票装置の全体構成を示す図である。
図２４は本発明の第２実施形態において選挙管理者側の投票開始時刻前までの準備作業のフローを示す図である。
図２５は本発明の第２実施形態において選挙管理者側の投票開始時刻直後の零票確認作業のフローをを示す図である。
図２６は本発明の第２実施形態において投票所のレイアウトと、投票者の投票所内の移動順序の例を示す図である。
図２７は本発明の第２実施形態において選挙管理者側の投票終了時刻後の作業のフローを示す図である。
図２８は本発明の第２実施形態の記録原本、または、副本に記録されるデータ構造の例を示す図である。
【図１】
2003073383.tif 000003
【図２】
2003073383.tif 000004
【図３】
2003073383.tif 000005
【図４】
2003073383.tif 000006
【図５】
2003073383.tif 000007
【図６】
2003073383.tif 000008
【図７】
2003073383.tif 000009
【図８】
2003073383.tif 000010
【図９】
2003073383.tif 000011
【図１０】
2003073383.tif 000012
【図１１】
2003073383.tif 000013
【図１２】
2003073383.tif 000014
【図１３】
2003073383.tif 000015
【図１４】
2003073383.tif 000016
【図１５】
2003073383.tif 000017
【図１６】
2003073383.tif 000018
【図１７】
2003073383.tif 000019
【図１８】
2003073383.tif 000020
【図１９】
2003073383.tif 000021
【図２０】
2003073383.tif 000022
【図２１】
2003073383.tif 000023
【図２２】
2003073383.tif 000024
【図２３】
2003073383.tif 000025
【図２４】
2003073383.tif 000026
【図２５】
2003073383.tif 000027
【図２６】
2003073383.tif 000028
【図２７】
2003073383.tif 000029
【図２８】
2003073383.tif 000030
【国際調査報告】
2003073383.tif 000031
2003073383.tif 000032